【事件の表示】
　特願２０１５−２０６７９９「アーチ橋構造用の連接コンクリートブロック体及び上路式アーチ橋」拒絶査定不服審判事件〔平成２９年　４月２７日出願公開、特開２０１７−　７８２９６、請求項の数（４）〕について、次のとおり審決する。
【結　論】
　原査定を取り消す。
　本願の発明は、特許すべきものとする。
【理　由】
第１　手続の経緯
　本願は、平成２７年１０月２０日の出願であって、平成２９年１１月２８日付け（発送日：同年１２月５日）で拒絶理由通知がされ、平成３０年５月２８日付け（送達日：同年６月５日）で拒絶査定（原査定）がされ、これに対し、平成３０年９月５日に拒絶査定不服審判の請求がされたものである。
第２　原査定の拒絶の理由
　原査定（平成３０年５月２８日付け拒絶査定）の理由は次のとおりである。
　本願請求項１に係る発明は、以下の引用文献１及び２、または引用文献１及び３に記載された発明に基いて、その発明の属する技術の分野における通常の知識を有する者（以下、「当業者」という。）が容易に発明できたものであるから、特許法第２９条第２項の規定により特許を受けることができない。
　また、本願請求項２に係る発明は、以下の引用文献１及び２に記載された発明に基いて、当業者が容易に発明できたものであるから、特許法第２９条第２項の規定により特許を受けることができない。
　また、本願請求項３及び４に係る発明は、以下の引用文献１、２、４及び５、または、引用文献１、３ないし５に記載された発明に基いて、当業者が容易に発明できたものであるから、特許法第２９条第２項の規定により特許を受けることができない。
引用文献一覧
１．米国特許出願公開第２００５／２２９５０２号明細書
２．特開平１１−２４１４０４号公報
３．特開平１１−２８０１５３号公報
４．特開平１１−１１７３１４号公報（周知技術を示す文献）
５．特開２００４−１６９５１２号公報（周知技術を示す文献）
第３　本願発明
　本願請求項１ないし４に係る発明（以下、それぞれ「本願発明１」ないし「本願発明４」という。）は、平成２７年１０月２０日の出願時の特許請求の範囲の請求項１ないし４に記載された事項により特定される発明であり、以下のとおりの発明である。
「【請求項１】
　左右の斜辺と下辺と下辺に平行で下辺より長さの長い上辺とからなる逆台形を底面としてこれに側稜が直交する四角柱状の迫石ブロックを、この逆台形の下辺と接する四角柱の側面を下平面とし上辺と接する側面を上平面とする向きで逆台形の上辺の延伸方向に多数並列して並べ置くように配設し、それらの複数個の迫石ブロックの上平面近傍の内部に連接部材を埋設するようにして巡らせ、隣接する迫石ブロックと上平面近傍で連接することで、隣接する迫石ブロックとの連接箇所を軸として下方に吊り下がる迫石ブロックを回動可能として、全体を吊り上げたときに下辺側を内周とし、上辺側を外周とする円弧状に形成可能とした、アーチ橋構造用の連接コンクリートブロック体であって、さらに、少なくとも円弧の両末端に位置する迫石ブロックには、隣接する迫石ブロックとの間に両ブロック間に形成される楔状の隙間の開き具合を調整しうる拘束部材を配したことを特徴とする、アーチ橋構造用の連接コンクリートブロック体。
【請求項２】
　前記拘束部材は、ターンバックルを用いて張り具合を調整可能とすることで前記の楔状の隙間の開き具合を調整可能としたものであることを特徴とする請求項１に記載のアーチ橋構造用の連接コンクリートブロック体。
【請求項３】
　迫石ブロックの逆台形の上辺の角部は連接箇所より上方が面取りされていることを特徴とする、請求項１もしくは請求項２のいずれかに記載のアーチ橋構造用の連接コンクリートブロック体。
【請求項４】
　請求項１から請求項３のいずれか１項に記載のアーチ橋構造用の連接コンクリートブロック体で形成された円弧状のアーチと、その上方に配された水平な上路とを備えた上路式アーチ橋。」
第４　引用文献、引用発明等
１　引用文献１について
（１）引用文献１の記載事項
　原査定の拒絶の理由に引用された引用文献１には、次の事項が記載されている（下線は当審決で付した。以下同様。）。
ア「[0002] The present invention relates to a new arch ring unit and a method of using the arch ring unit to 
form new archways
bridges
「本発明は、新規な
アーチリングユニット
橋
などのアーチ道を形成するための
イ「[0010]
The arch ring unit
 is formed
 of concrete
「本発明の
アーチリングユニットは
コンクリートで形成される
ウ「[0019] According to a second aspect of the present invention, there is provided a process for forming a flat-formed arch ring unit as hereinbefore described, comprising the steps of
[0020] 
separately forming each voussoir portion
[0021] 
aligning the voussoir portions such that their wider top faces wholly or substantially meet; and 
[0022] 
forming a connection layer across the top of the voussoir portions.
[0023] This process allows each voussoir portion to be formed separately. This is a simple process, 
the former
 is a
trapizoidal shape
「本発明の第２の態様によれば、上記の平板状アーチリング部を形成するためのプロセス、すなわち、
各々の迫石部を別々に形成するステップ、それらの広い方の上面において完全にまたは実質的に互いに接するように迫石部を整列させるステップ、および、迫石部の頂部を横切って接続層を形成するステップ
このプロセスでは、各迫石部を別々に形成する。これは、簡単な方法であり、そのための
型
台形状である
エ「[0043] Fig 2 shows an arch ring unit 10 of the present invention. 
The arch ring unit 10 comprises a linear array of a number of connected voussoir portions 12 connected along their upper edges 14. These upper edges 14 will form the extrados of the arch in due course
The arch ring unit 10 is shown in more detail in Fig 6.」
「図２は、本発明のアーチリングユニット１０を示している。リング部１０は、その上方の端縁１４に沿って接続された、
多数の迫石部１２の直線アレイを含む。上方の端縁１４は、後にアーチの外周を形成する
オ「[0046] Preferably, the arch ring unit 10 is formed by a two-part casting process, wherein 
each voussior portion 12 is formed separately
A 
 connection layer 22 is then cast across the tops of the voussoir portions with the reinforcing grid laid therein
「好ましくは、
アーチリングユニット１０は、各迫石部１２を別々に形成し
接続層２２は、複数の迫石部の上部を横断するように、そこに補強グリッドを配置した状態で打設される
カ「[0049] When required,
 the arch ring unit 10 is arched by lifting at 
 lifting points
「必要に応じて、
リング部１０は
リフティングポイントにおいて上昇されるとアーチ状となる。
（２）引用文献１に記載された発明
　上記（１）から、引用文献１には次の発明（以下、「引用発明１」という。）が記載されていると認められる。
 「橋などのアーチ道を形成するための、コンクリートからなるアーチリングユニット１０であって、
　アーチリングユニット１０は、多数の迫石部１２が直線状に接続されたものであり、リフティングポイントにおいて上昇されると、アーチ状となり、その上方の端縁１４はアーチの外周面となるものであって、
　各迫石部１２は、台形状の型に打設されることにより別々に形成され、
　迫石部１２の広い方の上面において互いに接するように迫石部１２を整列させ、
　接続層２２を、複数の迫石部の上部を横断するように、そこに補強グリッドを配置した状態で打設して形成した、アーチリングユニット１０。」
２　引用文献２について
（１）引用文献２の記載事項
ア「【０００１】
【発明の属する技術分野】本発明は
アーチ形の構造体
イ「【０００８】
構造体本体１は
折板３は複数の個所で鈍角に折り曲げられ、全体としてアーチ形状に形成されている。
【０００９】なお、構造体本体１は数枚の折板３を面方向に連結させることによって一体的に形成すればよい。折板３の連結枚数によって構造体本体１の間口や奥行の寸法を大きくしたり、小さくしたりすることができる。
【００１０】次に、構造体本体１は折り曲げたままでは全体の強度が小さく、その形状を保持することはできないので、図１、図２に示されるようにブレース２によって補強されている。すなわち、
各折り曲げ部４の内側に取付金具５が固定され、１つおきに配置された取付金具５同士をブレース２で引き締めている。この場合、図３のように一方の取付金具５にターンバックル６を取付け、このターンバックル６と他方の取付金具５にブレース２を取付け、ターンバックル６を回転させて適宜の強さに締めればよい。
（２）引用文献２に記載された技術事項
　上記（１）により、引用文献２には、以下の技術事項（以下、「引用文献２の技術事項」という。）が記載されていると認められる。
　「構造体本体１が、折板３を複数の個所で鈍角に折り曲げて、全体としてアーチ形状に形成される、アーチ形の構造体において、
　各折り曲げ部４の内側には取付金具５が固定されており、１つおきに配置された取付金具５同士をブレース２で引き締めるものであって、
　一方の取付金具５にターンバックル６を取付け、このターンバックル６と他方の取付金具５にブレース２を取付け、ターンバックル６を回転させること。」
２　引用文献３について
（１）引用文献３の記載事項
ア「【０００１】
【発明の属する技術分野】本発明はアーチ状構造物およびその建造方法に関する。」
イ「【０００７】請求項２の発明のアーチ状構造物の建造方法は、
断面形状が台形をなす複数のユニット部材を、その台形の長辺部を上側に、短辺部を下側に夫々位置させて平行に並べて配置するととともに互いに隣り合う前記各ユニット部材を回転自在に連結して連結構造体を形成し、この連結構造体の端部に力を加えて連結構造体を中央部が高くなるようにアーチ状に立ち上げてアーチ状構造物を建造する
ウ「【００１２】そして、図１に示すようにアーチ状構造物Ｂを建造する場所に、各ユニット部材１における一対の側部フレーム２の長辺部２ａが上側に、短辺部２ｂが下側に位置するようにして連結構造体Ａを水平に配置する。
連結構造体Ａにおいてユニット部材並び方向一方の端にあるユニット部材１の桟フレーム３を適宜な固定具１１によって建造する場所に固定する。また、連結構造体Ａにおいてユニット部材並び方向他方の端に位置するユニット部材１の桟フレーム３の長さ方向両端部に夫々２本のケーブル１２の一端を固定する。
【００１３】そして、図２に示すように２台のウインチ１３を駆動して巻取り体を巻取り方向へ回転させて夫々
ケーブル１２を巻取る。
（２）引用文献３に記載された技術事項
　上記（１）により、引用文献３には、以下の技術事項（以下、「引用文献３の技術事項」という。）が記載されていると認められる。
　「断面形状が台形をなす複数のユニット部材１を、その台形の長辺部を上側に、短辺部を下側に夫々位置させて平行に並べて配置するととともに互いに隣り合う前記各ユニット部材１を回転自在に連結して連結構造体Ａを形成し、連結構造体Ａにおいてユニット部材１並び方向一方の端にあるユニット部材１の桟フレーム３を適宜な固定具１１によって建造する場所に固定し、連結構造体Ａにおいてユニット部材並び方向他方の端に位置するユニット部材１の桟フレーム３の長さ方向両端部に夫々２本のケーブル１２の一端を固定して、この２本のケーブル１２を巻取ることにより、この連結構造体Ａの端部に力を加えて連結構造体Ａを中央部が高くなるようにアーチ状に立ち上げてアーチ状構造物を建造すること。」
第６　対比・判断
１　対比
（１）引用発明１の「台形状の型に打設されることにより」「形成され」た「迫石部１２」は、本願発明１の「左右の斜辺と下辺と下辺に平行で下辺より長さの長い上辺とからなる逆台形を底面としてこれに側稜が直交する四角柱状」である「迫石ブロック」に相当する。
（２）引用発明１において、「迫石部１２」を、「迫石部１２の広い方の上面において互いに接するように」「整列させ」ることは、本願発明１の「迫石ブロック」を、「逆台形の下辺と接する四角柱の側面を下平面とし上辺と接する側面を上平面とする向きで逆台形の上辺の延伸方向に」「並列して並べ置くように配設」することに相当する。また、引用発明１において、「多数の迫石部１２が直線状に接続された」ことが特定されていることから、本願発明１のように、「迫石ブロック」は、「多数並列して並べ置くように配設」されるものと解される。
（３）引用発明１の「補強グリッド」は、「複数の迫石部１２の上部」に「配置した状態で」「接続層２２」が「打設して形成」されるものであるから、本願発明１の、「複数個の迫石ブロックの上平面近傍の内部に」「埋設するようにして巡らせ、隣接する迫石ブロックと上平面近傍で連接する」「連接部材」に相当する。
（４）引用発明１の「リフティングポイントにおいて上昇されると、アーチ状となり、その上方の端縁１４はアーチの外周面となる」「アーチリングユニット１０」は、本願発明１の「全体を吊り上げたときに下辺側を内周とし、上辺側を外周とする円弧状に形成可能とした、アーチ橋構造用の連接コンクリートブロック体」に相当する。
（５）引用発明１において、「直線状に接続された」「多数の迫石部１２」は、「リフティングポイントにおいて上昇されると、アーチ状とな」るものであるから、本願発明１のように、「隣接する迫石ブロックとの連接箇所を軸として下方に吊り下がる迫石ブロック」が「回動可能」であるものと解される。なお、このことは引用文献１のＦｉｇ．２及びＦｉｇ．３をみても明らかである。
（６）してみると、本願発明１と引用発明１では、下記の点で一致点と相違点を有する。
＜一致点＞
　「左右の斜辺と下辺と下辺に平行で下辺より長さの長い上辺とからなる逆台形を底面としてこれに側稜が直交する四角柱状の迫石ブロックを、この逆台形の下辺と接する四角柱の側面を下平面とし上辺と接する側面を上平面とする向きで逆台形の上辺の延伸方向に多数並列して並べ置くように配設し、それらの複数個の迫石ブロックの上平面近傍の内部に連接部材を埋設するようにして巡らせ、隣接する迫石ブロックと上平面近傍で連接することで、隣接する迫石ブロックとの連接箇所を軸として下方に吊り下がる迫石ブロックを回動可能として、全体を吊り上げたときに下辺側を内周とし、上辺側を外周とする円弧状に形成可能とした、アーチ橋構造用の連接コンクリートブロック体。」
　
＜相違点＞
　アーチ橋構造用の連接コンクリートブロック体が、本願発明１では、「少なくとも円弧の両末端に位置する迫石ブロックには、隣接する迫石ブロックとの間に両ブロック間に形成される楔状の隙間の開き具合を調整しうる拘束部材を配した」のに対し、引用発明１では、そのような特定がなされていない点。
２　判断
（１）上記相違点について判断する。
　引用文献２の技術事項に特定されている「ターンバックル６」、「ブレース２」は、「折り曲げ」た「折板３」の「各折り曲げ部４の内側に」「固定され」た「取付金具５」のうち、「１つおきに配置された取付金具５同士」を拘束するものであって、相違点に係る構成のように、「少なくとも円弧の両末端に位置する迫石ブロックには、隣接する迫石ブロックとの間に両ブロック間に形成される楔状の隙間の開き具合を調整しうる」ものではないから、引用文献２の技術事項には、相違点に係る構成は特定されていない。
　また、引用文献２の技術事項に特定されているのは、「折板３」を「折り曲げ」て、アーチを構成するものであって、引用発明１のように、「迫石ブロック」を「直線状に接続」して、「リフティングポイントにおいて上昇」させるものではなく、引用発明１と引用文献２の技術事項との間に、共通する課題が存在するとは認められないから、引用発明１において、引用文献２の技術事項を適用する動機付けはないものと認められる。
　また、引用文献３の技術事項に特定されている「ケーブル１２」は、「連結構造体Ａ」を「中央部が高くなるようにアーチ状に立ち上げてアーチ状構造物を建造する」ためのものであって、相違点に係る構成のように、「少なくとも円弧の両末端に位置する迫石ブロックには、隣接する迫石ブロックとの間に両ブロック間に形成される楔状の隙間の開き具合を調整しうる拘束部材」ではないから、引用文献３の技術事項には、相違点に係る構成は特定されていない。
　してみると、引用発明１において、引用文献２、または引用文献３の技術事項を参酌しても、相違点に係る構成を得ることは、当業者が容易に想到し得たこととはいえない。
（２）まとめ
　上記（１）により、本願発明１は、当業者が、引用文献１及び２に記載された発明、または、引用文献１及び３に記載された発明に基いて、容易に発明をすることができたものとはいえない。
２　本願発明２ないし本願発明４について
　本願発明２ないし４は、本願発明１を引用するものであって、本願発明１の発明特定事項を全て含むものである。
　よって、本願発明１と同じ理由により、本願発明２は、引用文献１及び２に記載された発明に基いて、当業者が容易に発明をすることができたものとはいえない。
　また、本願発明１と同じ理由により、本願発明３及び４に係る発明は、引用文献１、２、４及び５、または、引用文献１、３ないし５に記載された発明に基いて、当業者が容易に発明をすることができたものとはいえない。
第７　むすび
　以上のとおり、原査定の理由によっては、本願を拒絶することはできない。
　また、他に本願を拒絶すべき理由を発見しない。
　よって、結論のとおり審決する。